(57)【特許請求の範囲】
【請求項１】
内容液を収容する容器本体と、前記容器本体内の内容液を吸い上げて吐出する、ディップチューブを備えるポンプディスペンサーとを備える容器であって、
前記内容液は２５℃条件下でＢ型粘度計により測定される粘度が１〜３０Ｐａ・ｓであり、
前記ディップチューブにおける下端部に切欠部が形成され、
前記ディップチューブには、前記ディップチューブの上下方向における前記切欠部寄りでかつ前記切欠部の上方に、前記ディップチューブの中心軸から前記切欠部が臨む方向に向かって、前記ディップチューブの周壁から外方に張り出す張出部が固定され、
平面視において前記切欠部は前記張出部で覆われており、
前記切欠部の上端から前記張出部までの上下方向における距離が０〜５ｍｍである、容器。
【請求項２】
前記ディップチューブにおける前記切欠部が形成された側に向かって前記張出部が設けられ、その反対側には前記張出部が存在しない、請求項１に記載の容器。
【請求項３】
前記ディップチューブの外周面から前記張出部の先端までの距離が３〜２０ｍｍである、請求項２に記載の容器。
【請求項４】
前記張出部の幅が１０〜５０ｍｍである、請求項２又は３に記載の容器。
【請求項５】
前記張出部が平板状であり、前記張出部と前記ディップチューブの中心軸とのなす角度が９０°である、請求項１〜４のいずれか一項に記載の容器。
【請求項６】
前記内容液が、洗髪料、石鹸類、洗浄剤、液体洗剤、柔軟仕上げ剤、又は液体歯磨きである、請求項１〜５のいずれか一項に記載の容器。
【請求項７】
前記張出部が前記ディップチューブに着脱自在に固定されている、請求項１〜６のいずれか一項に記載の容器。
【発明の詳細な説明】
【技術分野】
【０００１】
本発明は、容器に関する。
【背景技術】
【０００２】
洗髪料（リンス、コンディショナー、シャンプー等）、石鹸類（ハンドソープ、ボディソープ等）等の高粘度の内容液を収容する容器としては、容器本体と、ディップチューブを備えるポンプディスペンサーと、を備える容器が広く用いられている。このような容器においては、容器本体内に内容液ができるだけ残らないようにするために、ディップチューブの下端部の周壁に切欠部を形成し、該ディップチューブの下端が容器本体の底面に達するようにする構成が採用されることが多い（例えば、特許文献１）。しかし、該容器では、高粘度の内容液の残量が少なくなった状態で内容液を吐出しようとすると、容器本体内の空気が内容液とともにディップチューブ内に吸い込まれ、内容液が吐出されにくくなることがある。
【０００３】
図９に例示した容器１００を例にして、より具体的に説明する。容器１００は、容器本体１１０と、ディップチューブ１１２を備えるポンプディスペンサーとを備えている。ディップチューブ１１２における下端部の周壁には切欠部１１４が形成されている。
容器１００では、高粘度の内容液Ｌの残量が少なくなり、液面が切欠部１１４に近い状態でポンプディスペンサーを作動させると、内容液Ｌがディップチューブ１１２内に吸い込まれるとともにディップチューブ１１２近傍の切欠部１１４側で液面に窪みＤが発生する。そして、その窪みＤが切欠部１１４まで到達してディップチューブ１１２内に気泡Ｂが入り込む。このように、ディップチューブ１１２内に内容液Ｌとともに気泡Ｂが入り込むと、ポンプディスペンサーのポンプ機構が充分に機能しなくなり、内容液Ｌが吐出されにくくなる。
【０００４】
内容液の残量が少なく液面がディップチューブの切欠部に近い状態で内容液を吐出する際に、ディップチューブ内に気泡が入り込むことを抑制する容器としては、例えば、中央に穴が開いた浮蓋にディップチューブを挿通し、容器本体内において該ディップチューブに対して浮蓋が摺動するようにした容器が提案されている（例えば、特許文献２、３）。該容器では、浮蓋が内容液の液面上に位置しており、内容液を吸い出して液面が下がるにつれて該液面とともに浮蓋が下降する。これにより、内容液の残量が少なくなった状態でも内容液の吐出時に液面に窪みができることが抑制されることで、ディップチューブ内に空気が吸い込まれることが抑制される。
【先行技術文献】
【特許文献】
【０００５】
【特許文献１】特表２０１２−５３２８０９号公報
【特許文献２】実開昭５８−２１５７５号公報
【特許文献３】特開２００７−２６１６８０号公報
【発明の概要】
【発明が解決しようとする課題】
【０００６】
しかし、特許文献２、３のような容器では、ディップチューブを挿通するための浮蓋の穴の直径がディップチューブの外径に対して充分に大きくない場合、ディップチューブの外壁に浮蓋が引っ掛かって浮蓋が下降しにくくなる。そのため、内容液の残量が少なく液面がディップチューブの切欠部に近いときに液面に窪みが発生することを抑制する効果が安定して得られにくい。一方、浮蓋が安定して下降できるように浮蓋の穴の直径を大きくすると、内容液の残量が少なくなったときに、ディップチューブの周囲において、空気が浮蓋の穴を通じてディップチューブ内に入り込みやすくなる。
【０００７】
本発明は、高粘度の内容液を収容したときに、該内容液の残量が少なく液面がディップチューブの切欠部に近くなった状態でも、容器本体内の空気がディップチューブ内に吸い込まれにくく、内容液を吐出させやすい容器を提供することを目的とする。
【課題を解決するための手段】
【０００８】
本発明の容器は、内容液を収容する容器本体と、前記容器本体内の内容液を吸い上げて吐出する、ディップチューブを備えるポンプディスペンサーとを備える容器であって、前記ディップチューブにおける下端部に切欠部が形成され、前記ディップチューブには、前記切欠部寄りでかつ前記切欠部の上方に、前記ディップチューブの周壁から外方に張り出す張出部が固定され、平面視において前記切欠部は前記張出部で覆われている。
【０００９】
本発明の容器では、前記張出部は前記ディップチューブに着脱自在に固定されていてもよい。
【発明の効果】
【００１０】
本発明の容器は、高粘度の内容液を収容したときに、該内容液の残量が少なく液面がディップチューブの切欠部に近くなった状態でも、容器本体内の空気がディップチューブ内に吸い込まれにくく、内容液を吐出させやすい。
【図面の簡単な説明】
【００１１】
【図１】本発明の容器の一例を示した斜視図である。
【図２】図１の容器における底部側の部分の拡大断面図である。
【図３】図１の容器におけるディップチューブ及び張出部の底面図である。
【図４】図１の容器において内容液を吸い上げる様子を示した断面図である。
【図５】本発明の容器の他の例を示した斜視図である。
【図６】図６（Ａ）は図５の容器における底部側の部分の拡大断面図であり、図６（Ｂ）はそのディップチューブ及び張出部の底面図である。
【図７】本発明の容器の他の例を示した図であり、図７（Ａ）は断面図であり、図７（Ｂ）はディップチューブ及び張出部の底面図である。
【図８】本発明の容器の他の例におけるディップチューブの下端近傍を示した断面図である。
【図９】従来の容器において内容液を吸い上げる様子を示した断面図である。
【発明を実施するための形態】
【００１２】
以下、本発明の容器の一例について、図面を参照して詳細に説明する。
本実施形態の容器１は、図１に示すように、内容液Ｌが収容される容器本体１０と、容器本体１０に収容された内容液Ｌを吐出させるポンプディスペンサー１２とを備えている。容器１は、ポンプディスペンサー１２を押圧操作して、容器本体１０に収容された内容液Ｌを定量吐出する、いわゆる縦型手動式のポンプ付き容器である。
【００１３】
（容器本体）
容器本体１０は、図１に示すように、平面視で円形状の底面部１４、底面部１４の周縁から立設する円筒状の胴部１６、及び胴部１６の上端から内側に延びる円環状の肩部１８からなり、内容液Ｌを収容する収容部２０を備えている。また、容器本体１０における収容部２０の上部には、肩部１８の内側の先端から上方に向かって延びる円筒状の口頸部（図示せず）が設けられている。該口頸部の外周面には、後述するポンプディスペンサー１２の装着キャップ２６を螺合装着するためのネジ部が設けられている。
【００１４】
容器本体１０の大きさは、用途に応じて適宜設定すればよい。また、本発明の容器においては、容器本体の形状は容器本体１０のような円筒状には限定されず、用途に応じて最適な形状を適宜選択できる。
【００１５】
容器本体１０を形成する材料としては、公知の材料を使用でき、ポリエチレン樹脂、ポリプロピレン樹脂、ポリエステル樹脂等の合成樹脂材料が挙げられる。
容器本体１０は、透明であってもよく、デザイン性の点から着色され、収容された内容液Ｌを視認できないようになっていてもよい。
【００１６】
（ポンプディスペンサー）
ポンプディスペンサー１２は、ノズルヘッド２２と、ノズルヘッド２２に内容液Ｌを圧送するポンプ本体部２４と、容器本体１０の口頸部に螺合装着される装着キャップ２６と、ポンプ本体部２４から垂下された円筒状のディップチューブ２８と、ディップチューブ２８の下端近傍に固定された張出部３０とを備えている。
【００１７】
ノズルヘッド２２は、平面視円形状のヘッド部２２ａと、ヘッド部２２ａの外周面から外方に延びるノズル部２２ｂとを備える。
ヘッド部２２ａは、使用者によって下方に押圧操作される部分である。ヘッド部２２ａの内部には、後述するポンプ本体部２４により圧送された内容液Ｌをノズル部２２ｂへと導く流路（図示せず。）が設けられている。ノズル部２２ｂは、先端から内容液Ｌを吐出させる部分である。ノズル部２２ｂの内部の流路はヘッド部２２ａの流路と連通している。
【００１８】
装着キャップ２６は、容器本体１０の口頸部に螺合装着される部分である。装着キャップ２６の内周面には、容器本体１０における口頸部の外周面に設けられたネジ部と螺合するネジ部が設けられている。容器本体１０の口頸部に装着キャップ２６が螺合されることで、容器本体１０の口頸部にポンプディスペンサー１２が取り外し可能に装着される。
【００１９】
この例では、装着キャップ２６における上部の外周面にネジ部２６ａが設けられ、ノズルヘッド２２におけるヘッド部２２ａの外壁部の内周面にネジ部２６ａと螺合するネジ部が形成されている。これにより、容器１では、未使用時において、ノズルヘッド２２を押し下げた状態で装着キャップ２６に螺合して固定できるようになっている。使用時には、この螺合を解除することで、後述のステム３２が付勢力により上方に向かって押し上げられた状態となる。
【００２０】
ポンプ本体部２４は、ノズルヘッド２２におけるヘッド部２２ａを押し下げた際に容器本体１０に収容された内容液Ｌをノズル部２２ｂへと圧送する部分である。ポンプ本体部２４は、装着キャップ２６から上方に延び、上下方向に移動可能に支持されたステム３２と、装着キャップ２６の下面から垂下されたシリンダ３４とを備えている。
ステム３２の上端部にノズルヘッド２２におけるヘッド部２２ａが取り付けられている。また、ステム３２は上方に付勢された状態となっており、この付勢力に抗してヘッド部２２ａを押し下げることが可能となっている。
【００２１】
シリンダ３４は、内容液が充填されるポンプ室を形成するものであり、その下端部には容器本体１０に収容された内容液Ｌを吸引する吸引口（図示せず）と、該吸引口を開閉する球状の弁体とが設けられている。弁体は、ポンプ室の拡張操作によりシリンダ３４内に負圧が発生する場合のみ吸引口を開放する。
シリンダ３４における、容器本体１０内の口頸部寄りに位置する部分には、容器本体１０内に空気を導入するための通気孔（図示せず。）が設けられている。また、シリンダ３４内には、ステム３２を上方に向かって付勢する圧縮コイルバネ（図示せず。）と、ステム３２の下端部に取り付けられたピストン（図示せず。）とが設けられている。該ピストンは、シリンダ３４の内面と摺接しながら、シリンダ３４内で加圧された内容液Ｌを、ステム３２を通じてノズルヘッド２２側へと圧送する役割を果たす。
【００２２】
ディップチューブ２８は、図１及び図２に示すように、シリンダ３４の下端部から容器本体１０の底面部１４まで垂下されている。ディップチューブ２８内の流路はシリンダ３４の吸引口と繋がっている。ディップチューブ２８は、容器本体１０の底面部１４に向かって直線的に垂下されていることが好ましい。
【００２３】
ディップチューブ２８における下端部の周壁には、内容液Ｌの吸引口となる切欠部２８ａが形成されている。
ディップチューブ２８の下端部に切欠部２８ａが形成されていることで、ディップチューブ２８の下端が容器本体１０の底面部１４に接している状態でも、切欠部２８ａからディップチューブ２８内に内容液Ｌを吸い込むことができる。また、容器本体１０の底面部１４まで垂下されたディップチューブ２８の下端部に形成した切欠部２８ａは、内容液Ｌが少なくなっても内容液Ｌから露出しにくい。そのため、内容液Ｌの残量が少なく、液面がディップチューブ２８の切欠部２８ａに近くなっても内容液Ｌを吐出させることが容易になる。
【００２４】
切欠部２８ａの正面視形状は、特に限定されず、半円状、矩形状等が挙げられる。
切欠部２８ａの大きさは、内容液Ｌの粘度等に応じて適宜設定すればよい。例えば、ディップチューブ下端から切欠部２８ａの上端部までの距離は、１〜１０ｍｍとされる。
【００２５】
また、図１〜３に示すように、ディップチューブ２８には、切欠部２８ａ寄りで、かつ切欠部２８ａの上方において、ディップチューブ２８の中心軸から切欠部２８ａが臨む方向に向かって、ディップチューブ２８の周壁から外方に張り出す平板状の張出部３０が固定されている。なお、本発明において、張出部が固定されているとは、少なくとも、吐出時等の内容液の動きによって張出部がディップチューブの軸方向に移動しない程度に固定されていることを意味する。
張出部３０が固定されていることで、平面視において、切欠部２８ａは張出部３０によって覆われている。このような張出部３０は、使用時においては内容液Ｌ中に浸漬された状態になっている。張出部３０が設けられていることで、高粘度の内容液Ｌの残量が少なく、液面が切欠部２８ａに近い状態において内容液Ｌを吐出させるときでも、容器本体１０内の空気がディップチューブ２８内に吸い込まれにくくなり、内容液Ｌを吐出させることが容易になる。
【００２６】
この例の張出部３０の平面視形状は、略楕円状になっている。本発明では、張出部の平面視形状は、略楕円状には限定されず、容器本体の胴部の断面形状等に応じて適宜選択できる。具体的には、張出部の平面視形状は、半円状、円形状、矩形状等であってもよい。
【００２７】
また、張出部３０とディップチューブ２８の中心軸とのなす角度は、この例では９０°である。なお、張出部３０とディップチューブ２８の中心軸とのなす角度は、容器本体内の空気がディップチューブ内に吸い込まれることを抑制できる範囲であれば、９０°になっていなくてもよい。
【００２８】
切欠部２８ａの上端から張出部３０までの距離ｄ１（図２）、及びディップチューブ２８の外周面から張出部３０の先端までの距離ｄ２（図２）は、本発明の効果が得られる範囲内で、内容液Ｌの粘度等に応じて適宜設定すればよい。また、張出部３０の幅ｄ４（図３）も、本発明の効果が得られる範囲内で、内容液Ｌの粘度等に応じて適宜設定すればよい。なお、張出部３０の幅とは、張出部３０におけるディップチューブ２８側の基端から先端に向かう方向に垂直な方向の長さにおける最大値を意味する。
【００２９】
具体例としては、内容液Ｌの粘度が２５℃条件下で１Ｐａ・ｓ〜３０Ｐａ・ｓの場合、例えば、切欠部２８ａの上端から張出部３０までの距離ｄ１を０〜５ｍｍ、ディップチューブ２８の外周面から張出部３０の先端までの距離ｄ２を３〜２０ｍｍ、張出部３０の幅ｄ４を１０〜５０ｍｍとする態様等が挙げられる。この態様では、距離ｄ１、距離ｄ２及び幅ｄ４を前記範囲とすることで容器本体１０内の空気がディップチューブ２８内に吸い込まれることが抑制されやすくなる。
【００３０】
また、張出部３０が弾性を有しない場合は、ディップチューブ２８と張出部３０を容器本体内１０内に入れるために、張出部３０の大きさを容器本体１０の口頸部の開口径よりも小さくなるようにする必要がある。なお、張出部３０をゴム等で形成して張出部３０が弾性を有する場合は、ディップチューブ２８と張出部３０を容器本体内１０内に入れられる範囲で、張出部３０の大きさを容器本体１０の口頸部の開口径よりも大きくしてもよい。
【００３１】
張出部３０の先端と胴部１６の内壁面との距離ｄ３（図２）も、内容液Ｌの粘度等に応じて適宜設定すればよい。この例のように、ディップチューブ２８における切欠部２８ａが形成された側に向かって張出部３０を設け、その反対側に張出部が存在しない態様では、張出部３０の先端は胴部１６の内壁面に接していてもよい。
【００３２】
ポンプディスペンサー１２における、ノズルヘッド２２、ポンプ本体部２４、装着キャップ２６及びディップチューブ２８を形成する材料としては、特に限定されず、ポンプディスペンサーに通常用いられる公知の材質を採用できる。例えば、ポリエチレン樹脂、ポリプロピレン樹脂、ポリエステル樹脂等の合成樹脂材料が挙げられる。
張出部３０を形成する材料としては、容器本体１０内の空気がディップチューブ２８内に吸い込まれることを抑制できるものであればよく、例えば、ポリエチレン樹脂、ポリプロピレン樹脂、ポリエステル樹脂等の合成樹脂材料が挙げられる。張出部３０は、ゴム等の弾性を有する材料で形成してもよい。
【００３３】
（製造方法）
容器本体１０の製造方法は、特に限定されず、ブロー成形等が挙げられる。ポンプディスペンサー１２の製造方法は、特に限定されず、公知の方法を採用できる。
本発明においては、張出部は、ディップチューブと一体に形成してもよく、ディップチューブとは別に形成したものをディップチューブに取り付けて着脱自在に固定してもよい。張出部を着脱自在にディップチューブに取り付けて固定する態様は、既存の設備で製造したディップチューブに対しても張出部を取り付けて固定できる点で有利である。
【００３４】
（内容液）
本発明の容器に収容する内容液は特に限定されないが、本発明は高粘度の内容液を収容する場合に特に有用である。具体的には、粘度が２５℃条件下で１Ｐａ・ｓ〜３０Ｐａ・ｓの内容液を収容する場合に特に有用である。
内容液の具体例としては、洗髪料（リンス、コンディショナー、シャンプー等）、石鹸類（ハンドソープ、ボディソープ等）等の高粘度の内容液化粧液、洗浄剤、液体洗剤、柔軟仕上げ剤、液体歯磨き等が挙げられる。
【００３５】
（作用効果）
以下、容器１の作用について説明する。
未使用の状態においては、容器本体１０の収容部２０に内容液Ｌが収容された状態で、装着キャップ２６が容器本体１０の口頸部に螺合装着されることで、ポンプディスペンサー１２が容器本体１０に取り外し可能に装着されている。この状態では、ディップチューブ２８の下端が容器本体１０の底面部１４に接している。
また、ノズルヘッド２２が押し下げられた状態では、ノズルヘッド２２が装着キャップ２６における上部に螺合されて固定されている。容器１を使用する際には、ノズルヘッド２２と装着キャップ２６との螺合を解除する。これにより、図１及び図２に示すように、付勢力によりステム３２とともにノズルヘッド２２が上方に向かって押し上げられた状態となる。
【００３６】
内容液Ｌを吐出させる場合は、ノズルヘッド２２を付勢力に抗して押し下げる。これにより、ピストンが下降してシリンダ３４内に充填された内容液Ｌが加圧され、ステム３２を通じてノズルヘッド２２へと圧送され、ノズル部２２ｂの先端から内容液Ｌが吐出される。ノズルヘッド２２に対する押圧を解除すると、押し下げられたノズルヘッド２２がステム３２とともに上昇し、シリンダ３４内に発生する負圧によって弁体が吸引口を開放する。これにより、容器本体１０内に収容された内容液Ｌが切欠部２８ａからディップチューブ２８内に吸い込まれ、シリンダ３４内に再充填される。また、このとき容器本体１０内の内容液Ｌが減少するのに伴って、通気孔を通して外部の空気が容器本体１０内に導入される。
【００３７】
容器１では、ディップチューブ２８の下端部における切欠部２８ａが形成された側に張出部３０が固定されている。そのため、高粘度の内容液Ｌの残量が少なく、液面が切欠部２８ａに近い状態において内容液Ｌを吐出させる際には、図４に示すように、液面の窪みＤが張出部３０の外周端近傍で発生する。このように、容器１では、内容液Ｌの残量が少なくなった際に、張出部３０を設けていない場合に比べて液面の窪みＤがディップチューブ２８の切欠部２８ａから遠い所で発生する。そのため、ノズルヘッド２２を完全に押し下げた状態でも、容器本体１０内の空気がディップチューブ２８の切欠部２８ａまで到達しにくく、容器本体１０内の空気がディップチューブ２８内に吸い込まれることが抑制される。これにより、高粘度の内容液Ｌの残量が少なく、液面が切欠部２８ａに近い状態でも内容液Ｌを吐出させることが容易である。
【００３８】
以上説明したように、本発明の容器においては、ディップチューブにおける切欠部寄りでかつ切欠部の上方に設けられた張出部によって、高粘度の内容液の残量が少なく、液面が切欠部に近い状態で内容液を吐出させる場合でも、容器本体内の空気がディップチューブ内に吸い込まれにくく、内容液を吐出させることが容易である。
【００３９】
なお、本発明の容器は、前記した容器１には限定されない。
例えば、本発明の容器は、図５及び図６に例示した容器２であってもよい。図５及び図６において図１〜３と同じ部分は同符号を付して説明を省略する。
容器２は、張出部３０の代わりに、ディップチューブ２８の下端部寄りの切欠部２８ａの上方において、ディップチューブ２８の周壁の全周にわたって外方に張り出す円形状の張出部３０Ａが設けられている以外は、容器１と同じである。
【００４０】
容器２においては、張出部３０Ａの先端と胴部１６の内壁面との距離ｄ３（図６（Ａ））は、本発明の効果が得られる範囲内で、５ｍｍ以上とすることが好ましい。これにより、容器本体１０内において張出部３０Ａよりも上側に存在する内容液Ｌが、内容液Ｌの吐出時に張出部３０Ａの先端と胴部１６の内壁面との間から張出部３０Ａよりも下側に移動しやすくなり、スムーズに内容液Ｌを吐出させやすくなる。
【００４１】
容器２においても、容器１と同様に、高粘度の内容液Ｌの残量が少なく液面が切欠部２８ａに近い状態においても、張出部３０Ａによって、内容液Ｌを吐出させる際に容器本体１０内の空気がディップチューブ２８内に吸い込まれることが抑制されるため、内容液Ｌを吐出させることが容易である。
【００４２】
また、本発明の容器は、図７に例示した容器３であってもよい。図７において図２及び図３と同じ部分は同符号を付して説明を省略する。
容器３は、張出部３０の代わりに張出部３０Ｂが設けられている以外は、容器１と同じである。張出部３０Ｂは、ディップチューブ２８の周壁から外方に張り出す、張出部３０と同様の態様の平板状の張出片３０ａと、張出片３０ａの内周縁から垂下された円筒状の筒部３０ｂを備える以外は、張出部３０と同じである。
張出部３０Ｂは、ディップチューブ２８とは別部材として形成されるものであり、ディップチューブ２８の下端部に挿し込むことで、ディップチューブ２８の下端部寄りに取り付けて固定することができるようになっている。
【００４３】
容器３においても、容器１と同様に、高粘度の内容液Ｌの残量が少なく液面が切欠部２８ａに近い状態においても、張出部３０Ｂによって、内容液Ｌを吐出させる際に容器本体１０内の空気がディップチューブ２８内に吸い込まれることが抑制されるため、内容液Ｌを吐出させることが容易である。
【００４４】
また、本発明の容器においては、ディップチューブの下端部に、周壁の一方の側からその反対側まで斜めに切り欠かれた切欠部が形成されていてもよい。
具体的には、例えば、図８に示すように、ディップチューブ２８の下端部に、周壁の一方の側からその反対側まで斜めに切り欠かれた切欠部２８ｂが形成され、平面視において切欠部２８ｂを覆うように円形状の張出部３０Ａが固定された容器４であってもよい。図８における図６（Ａ）と同じ部分には、同符号を付して説明を省略する。
容器４においても、容器１と同様に、高粘度の内容液Ｌの残量が少なく液面が切欠部２８ｂに近い状態においても、張出部３０Ａによって、内容液Ｌを吐出させる際に容器本体１０内の空気がディップチューブ２８内に吸い込まれることが抑制されるため、内容液Ｌを吐出させることが容易である。
【実施例】
【００４５】
以下、実施例によって本発明を詳細に説明するが、本発明は以下の記載によっては限定されない。
［粘度測定］
内容液の粘度は、２５℃条件下で、Ｂ型粘度計により測定した。
【００４６】
［実施例１］
図５及び図６に例示した容器２を作製した。容器本体１０の胴部１６の内径は５９ｍｍ、張出部３０Ａの直径は２３ｍｍとした。ディップチューブ下端から切欠部２８ａの上端部までの距離を５ｍｍとした。また、切欠部２８ａの上端から張出部３０Ａまでの距離ｄ１は０ｍｍ、ディップチューブ２８の外周面から張出部３０Ａの先端までの距離ｄ２は５ｍｍ、張出部３０Ａの先端と胴部１６の内壁面との距離ｄ３は１８ｍｍとした。
容器本体１０内に粘度が２２Ｐａ・ｓの内容液Ｌを１００ｍＬ入れ、連続吐出し、ディップチューブ２８内に初めて空気が吸い込まれたときの内容液の残量を測定した。
【００４７】
［実施例２］
張出部３０Ａの直径を３０ｍｍに変更した以外は、実施例１と同様にして、ディップチューブ２８内に初めて空気が吸い込まれたときの内容液の残量を測定した。
【００４８】
［実施例３］
張出部３０Ａの直径を３５ｍｍに変更した以外は、実施例１と同様にして、ディップチューブ２８内に初めて空気が吸い込まれたときの内容液の残量を測定した。
【００４９】
［比較例１］
張出部３０Ａを設けなかった以外は、実施例１と同様にして、ディップチューブ２８内に初めて空気が吸い込まれたときの内容液の残量を測定した。
【００５０】
実施例１〜３及び比較例１における各寸法及び内容液の残量の測定結果を表１に示す。内容液の残量の測定は各例において３回ずつ行い、その平均値を示した。
【００５１】
【表１】
0006570166.tif 000002
【００５２】
表１に示すように、ディップチューブの下端部寄りの切欠部の上方に張出部を設けた実施例１〜３では、張出部を設けていない比較例１に比べて内容液の残量が１０ｇ以上少なく、内容液の残量が少なくなってもディップチューブ内に空気が吸い込まれにくく、内容液を吐出させることが容易であった。
【符号の説明】
【００５３】
１〜４  容器
１０  容器本体
１２  ポンプディスペンサー
２２  ノズルヘッド
２４  ポンプ本体部
２６  装着キャップ
２８  ディップチューブ
２８ａ，２８ｂ  切欠部
３０，３０Ａ，３０Ｂ  張出部
Ｌ  内容液
【図１】
0006570166.tif 000003
【図２】
0006570166.tif 000004
【図３】
0006570166.tif 000005
【図４】
0006570166.tif 000006
【図５】
0006570166.tif 000007
【図６】
0006570166.tif 000008
【図７】
0006570166.tif 000009
【図８】
0006570166.tif 000010
【図９】
0006570166.tif 000011